(57)【要約】      （修正有）【課題】狭額縁化が可能な電子機器を提供する。【解決手段】カメラ１と、第１偏光板と、第２偏光板と、第１偏光板と第２偏光板との間に位置する液晶パネルと、液晶パネルを制御するコントローラと、を備え、液晶パネルは、カメラ１に重畳する第１領域（Ａ２１乃至Ａ２３の少なくとも一つ）及び第２領域（Ａ２２乃至Ａ２４の少なくとも１つ）を有し、コントローラは、第１領域及び第２領域で透光する第１開口モードと、第１領域の透過光量を第２領域の透過光量よりも低減する第２開口モードと、を制御する、電子機器。【選択図】図７
2020003648.tif 000002
【特許請求の範囲】
【請求項１】
カメラと、
第１偏光板と、
第２偏光板と、
前記第１偏光板と前記第２偏光板との間に位置する液晶パネルと、
前記液晶パネルを制御するコントローラと、を備え、
前記液晶パネルは、前記カメラに重畳する第１領域及び第２領域を有し、
前記コントローラは、前記第１領域及び前記第２領域で透光する第１開口モードと、前記第１領域の透過光量を前記第２領域の透過光量よりも低減する第２開口モードと、を制御する、電子機器。
【請求項２】
さらに、明るさを計測する光センサを備え、
前記コントローラは、前記光センサによる計測結果に基づいて、前記第１開口モード及び前記第２開口モードのいずれかを選択する、請求項１に記載の電子機器。
【請求項３】
前記液晶パネルは、前記カメラの外側で前記第１領域を囲む第３領域を有し、
前記コントローラは、前記第１開口モードに対応して前記第３領域に環状の第１パターンを表示し、前記第２開口モードに対応して前記第３領域に環状の第２パターンを表示するように前記液晶パネルを制御し、
前記第２パターンの内側に表示される開口パターンの面積は、前記第１パターンの内側に表示される開口パターンの面積より小さい、請求項１または２に記載の電子機器。
【請求項４】
さらに、側面と、前記液晶パネルに対向する主面と、を有する導光板と、
前記側面に対向する光源と、を備え、
前記第３領域は、前記導光板に重畳している、請求項３に記載の電子機器。
【請求項５】
前記導光板は、第１貫通孔を有し、
前記第１領域及び前記第２領域は、前記第１貫通孔に重畳している、請求項４に記載の電子機器。
【請求項６】
前記カメラは、前記第１貫通孔に設けられている、請求項５に記載の電子機器。
【請求項７】
さらに、前記導光板と前記液晶パネルとの間に位置する光学シートを備え、
前記光学シートは、前記第１貫通孔に重畳する第２貫通孔を有している、請求項５または６に記載の電子機器。
【請求項８】
さらに、反射シートを備え、
前記導光板は、前記反射シートと前記光学シートとの間に位置し、
前記反射シートは、前記第１貫通孔に重畳する第３貫通孔を有している、請求項７に記載の電子機器。
【請求項９】
カメラの前方に配置される表示装置であって、
第１偏光板と、
第２偏光板と、
前記第１偏光板と前記第２偏光板との間に位置する液晶パネルと、を備え、
前記液晶パネルは、前記カメラに重畳する第１領域及び第２領域を有し、
第１開口モードにおいて、前記第１領域及び前記第２領域で透光し、
第２開口モードにおいて、前記第１領域の透過光量を前記第２領域の透過光量よりも低減する、表示装置。
【請求項１０】
前記液晶パネルは、前記カメラの外側で前記第１領域を囲む第３領域を有し、
前記第１開口モードにおいて、前記第３領域に環状の第１パターンを表示し、
前記第２開口モードにおいて、前記第３領域に環状の第２パターンを表示し、
前記第２パターンの内側に表示される開口パターンの面積は、前記第１パターンの内側に表示される開口パターンの面積より小さい、請求項９に記載の表示装置。
【請求項１１】
カメラと、
前記カメラに重畳する第１領域及び第２領域を有する液晶素子と、を制御するコンピュータに、
前記第１領域及び前記第２領域で透光する第１開口モードと、
前記第１領域の透過光量を前記第２領域の透過光量よりも低減する第２開口モードと、
を実現させるためのプログラム。
【請求項１２】
前記第１開口モードにおいて、前記カメラの外側で前記第１領域を囲む第３領域に環状の第１パターンを表示させ、
前記第２開口モードにおいて、前記第３領域に環状の第２パターンを表示させ、
前記第２パターンの内側に表示させる開口パターンの面積は、前記第１パターンの内側に表示させる開口パターンの面積より小さい、請求項１１に記載のプログラム。
【発明の詳細な説明】
【技術分野】
【０００１】
本発明の実施形態は、表示装置、表示装置を組み込んだ電子機器、及び、プログラムに関する。
【背景技術】
【０００２】
近年、表示部及びカメラを同一面側に備えたスマートフォン等の電子機器が広く実用化されている。このような電子機器では、カメラが表示部の外側に設けられており、カメラを設置するためのスペースを確保する一方で、表示部の外側の額縁幅を縮小する要望が高まっている。  
また、鮮明な写真を撮影可能とすることが要望されている。
【先行技術文献】
【特許文献】
【０００３】
【特許文献１】特開２０１７−４０９０８号公報
【発明の概要】
【発明が解決しようとする課題】
【０００４】
本実施形態の目的は、狭額縁化が可能な表示装置、表示装置を組み込んだ電子機器、及び、プログラムを提供することにある。
【課題を解決するための手段】
【０００５】
本実施形態によれば、
カメラと、
第１偏光板と、
第２偏光板と、
前記第１偏光板と前記第２偏光板との間に位置する液晶パネルと、
前記液晶パネルを制御するコントローラと、を備え、
前記液晶パネルは、前記カメラに重畳する第１領域及び第２領域を有し、
前記コントローラは、前記第１領域及び前記第２領域で透光する第１開口モードと、前記第１領域の透過光量を前記第２領域の透過光量よりも低減する第２開口モードと、を制御する、電子機器が提供される。  
本実施形態によれば、
カメラの前方に配置される表示装置であって、
第１偏光板と、
第２偏光板と、
前記第１偏光板と前記第２偏光板との間に位置する液晶パネルと、を備え、
前記液晶パネルは、前記カメラに重畳する第１領域及び第２領域を有し、
第１開口モードにおいて、前記第１領域及び前記第２領域で透光し、
第２開口モードにおいて、前記第１領域の透過光量を前記第２領域の透過光量よりも低減する、表示装置が提供される。  
本実施形態によれば、
カメラと、
前記カメラに重畳する第１領域及び第２領域を有する液晶素子と、を制御するコンピュータに、
前記第１領域及び前記第２領域で透光する第１開口モードと、
前記第１領域の透過光量を前記第２領域の透過光量よりも低減する第２開口モードと、
を実現させるためのプログラムが提供される。
【図面の簡単な説明】
【０００６】
【図１】図１は、本実施形態の表示装置ＤＳＰの一構成例を示す分解斜視図である。
【図２】図２は、図１に示した表示装置ＤＳＰ及びカメラ１を含む断面図である。
【図３】図３は、図１に示した液晶パネルＰＮＬの一構成例を示す平面図である。
【図４】図４は、図３に示した第１画素ＰＸ１を含む液晶素子ＬＣＤの断面図である。
【図５】図５は、図３に示した第２画素ＰＸ２を含む液晶素子ＬＣＤの断面図である。
【図６】図６は、液晶パネルＰＮＬを制御するための一構成例を示すブロック図である。
【図７】図７は、カメラ１に重畳する液晶素子ＬＣＤの一構成例を示す平面図である。
【図８】図８は、図７に示した液晶素子ＬＣＤの制御例を示す平面図である。
【図９】図９は、図７に示した液晶素子ＬＣＤの他の制御例を示す平面図である。
【図１０】図１０は、本実施形態の液晶素子ＬＣＤの制御例を説明するためのフローチャートである。
【図１１】図１１は、カメラ１に重畳する液晶素子ＬＣＤの他の構成例を示す平面図である。
【図１２】図１２は、図１１に示した液晶素子ＬＣＤの断面図である。
【図１３】図１３は、図１１に示した液晶素子ＬＣＤの制御例を示す平面図である。
【図１４】図１４は、図１１に示した液晶素子ＬＣＤの他の制御例を示す平面図である。
【図１５】図１５は、本実施形態の液晶素子ＬＣＤにおいてカメラ１の外側に表示されるパターンの表示例を示す図である。
【図１６】図１６は、本実施形態の液晶素子ＬＣＤの制御例を説明するためのフローチャートである。
【図１７】図１７は、本実施形態の表示装置ＤＳＰにおける表示例を示す図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの一構成例を示す分解斜視図である。一例では、第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。
【０００９】
表示装置ＤＳＰは、第１偏光板ＰＬ１及び第２偏光板ＰＬ２と、液晶パネルＰＮＬと、光学シートＯＳと、導光板ＬＧと、光源ＥＭと、反射シートＲＳと、を備えている。反射シートＲＳ、導光板ＬＧ、光学シートＯＳ、第１偏光板ＰＬ１、液晶パネルＰＮＬ、及び、第２偏光板ＰＬ２は、この順に第３方向Ｚに沿って並んでいる。複数の光源ＥＭは、第１方向Ｘに沿って間隔をおいて並んでいる。少なくとも光源ＥＭ及び導光板ＬＧは、液晶パネルＰＮＬを照明する面状光源ＡＬＳを構成している。面状光源ＡＬＳは、さらに、光学シートＯＳ及び反射シートＲＳを含んでいてもよい。第１偏光板ＰＬ１、第２偏光板ＰＬ２、及び、液晶パネルＰＮＬは、第３方向Ｚに沿って進行する光に対して、光学的なスイッチ機能を備えた液晶素子ＬＣＤを構成している。このような液晶素子ＬＣＤは、第１方向Ｘ及び第２方向Ｙによって規定されるＸ−Ｙ平面内の領域毎に、透光または遮光する機能を発揮するものである。  
このような表示装置ＤＳＰを組み込んだ電子機器１００は、カメラ１を備えている。
【００１０】
液晶パネルＰＮＬは、Ｘ−Ｙ平面と平行な平板状に形成されている。液晶パネルＰＮＬは、第１偏光板ＰＬ１と第２偏光板ＰＬ２との間に位置している。液晶パネルＰＮＬは、画像を表示する表示部ＤＡと、表示部ＤＡを囲む額縁状の非表示部ＮＤＡと、を備えている。本実施形態では、液晶パネルＰＮＬが第３方向Ｚにおいてカメラ１に重畳しており、特に、表示部ＤＡがカメラ１に重畳している。液晶パネルＰＮＬの詳細な構成について、ここでは説明を省略するが、液晶パネルＰＮＬは、基板主面に沿った横電界を利用する表示モード、基板主面の法線に沿った縦電界を利用する表示モード、基板主面に対して斜め方向に傾斜した傾斜電界を利用する表示モード、さらには、上記の横電界、縦電界、及び、傾斜電界を適宜組み合わせて利用する表示モードに対応したいずれの構成を備えていてもよい。ここでの基板主面とは、Ｘ−Ｙ平面と平行な面である。
【００１１】
第１偏光板ＰＬ１及び第２偏光板ＰＬ２は、液晶パネルＰＮＬに対して、少なくとも表示部ＤＡに重畳している。また、第１偏光板ＰＬ１及び第２偏光板ＰＬ２は、第３方向Ｚにおいて、カメラ１に重畳している。
【００１２】
導光板ＬＧは、光源ＥＭに対向する第１側面ＳＡと、第１側面ＳＡの反対側の第２側面ＳＢと、液晶パネルＰＮＬに対向する主面ＳＣと、主面ＳＣの反対側の主面ＳＤと、第１貫通孔ＴＨ１と、を有している。第１貫通孔ＴＨ１は、第２方向Ｙにおいて、第１側面ＳＡと第２側面ＳＢとの間に位置し、第１側面ＳＡよりも第２側面ＳＢに近接している。カメラ１は、第３方向Ｚにおいて、第１貫通孔ＴＨ１に重畳している。
【００１３】
複数の光学シートＯＳは、導光板ＬＧと液晶パネルＰＮＬとの間に位置し、主面ＳＣに対向している。光学シートＯＳの各々は、第１貫通孔ＴＨ１に重畳する第２貫通孔ＴＨ２を有している。光学シートＯＳは、例えば、プリズムシートや拡散シートである。
【００１４】
反射シートＲＳは、主面ＳＤに対向している。つまり、導光板ＬＧは、反射シートＲＳと光学シートＯＳとの間に位置している。反射シートＲＳは、第１貫通孔ＴＨ１に重畳する第３貫通孔ＴＨ３を有している。第３貫通孔ＴＨ３、第１貫通孔ＴＨ１、及び、第２貫通孔ＴＨ２は、第３方向Ｚに沿ってこの順に並び、同一直線上に設けられている。反射シートＲＳは、例えば金属からなるフレームに固定されていてもよい。その場合、フレームにも第１貫通孔ＴＨ１に重畳する貫通孔を設けてもよい。
【００１５】
光源ＥＭは、例えば、発光ダイオード（ＬＥＤ）であり、白色の照明光を出射する。光源ＥＭから出射される照明光は、第１側面ＳＡから入射し、第２方向Ｙを示す矢印の向きに沿って進行する。そして、導光板ＬＧによって導光された照明光は、主面ＳＣから液晶パネルＰＮＬに向かって出射され、液晶パネルＰＮＬを照明する。液晶パネルＰＮＬ、第１偏光板ＰＬ１、及び、第２偏光板ＰＬ２は、表示部ＤＡにおいて、照明光を選択的に透過することで、画像を表示する。
【００１６】
図２は、図１に示した表示装置ＤＳＰ及びカメラ１を含む断面図である。液晶パネルＰＮＬは、第１基板ＳＵＢ１と、第２基板ＳＵＢ２と、液晶層ＬＣと、シールＳＥと、を備えている。シールＳＥは、非表示部ＮＤＡに位置し、第１基板ＳＵＢ１と第２基板ＳＵＢ２とを接着するとともに、液晶層ＬＣを封止している。
【００１７】
以下、第１基板ＳＵＢ１及び第２基板ＳＵＢ２の主要部について、簡単に説明する。第１基板ＳＵＢ１は、第１絶縁基板１０と、配向膜ＡＬ１と、を備えている。第２基板ＳＵＢ２は、第２絶縁基板２０と、カラーフィルタ層ＣＦと、遮光層ＢＭＡと、透明層ＯＣと、配向膜ＡＬ２と、を備えている。  
第１絶縁基板１０及び第２絶縁基板２０は、ガラス基板や可撓性の樹脂基板などの透明基板である。配向膜ＡＬ１及びＡＬ２は、液晶層ＬＣに接している。  
カラーフィルタ層ＣＦ、遮光層ＢＭＡ、及び、透明層ＯＣは、第２絶縁基板２０と液晶層ＬＣとの間に位置している。  
遮光層ＢＭＡは、非表示部ＮＤＡに位置している。表示部ＤＡと非表示部ＮＤＡとの境界Ｂは、遮光層ＢＭＡの内側端に相当する。シールＳＥは、遮光層ＢＭＡと重畳する位置に設けられている。  
カラーフィルタ層ＣＦの詳細については、ここでは省略するが、例えば、カラーフィルタ層ＣＦは、赤色、緑色、青色のそれぞれのカラーフィルタを備えている。透明層ＯＣは、カラーフィルタ層ＣＦ及び遮光層ＢＭＡを覆っている。透明層ＯＣは、例えば、透明な有機絶縁膜である。
【００１８】
本実施形態において、表示部ＤＡは、カラーフィルタ層ＣＦが配置された領域Ａ１と、カラーフィルタ層ＣＦが配置されていない領域Ａ２と、を有している。透明層ＯＣは、領域Ａ１及び領域Ａ２に亘って配置され、領域Ａ１においてはカラーフィルタ層ＣＦに接し、領域Ａ２においては第２絶縁基板２０に接している。カメラ１と表示部ＤＡとの位置関係に着目すると、カメラ１は、領域Ａ２に重畳している。つまり、カラーフィルタ層ＣＦは、カメラ１に重畳していない。
【００１９】
第１偏光板ＰＬ１は、第１絶縁基板１０に接着されている。第２偏光板ＰＬ２は、第２絶縁基板２０に接着されている。第１偏光板ＰＬ１及び第２偏光板ＰＬ２は、領域Ａ１及び領域Ａ２に亘って配置され、カメラ１に重畳している。なお、第１偏光板ＰＬ１及び第２偏光板ＰＬ２は、必要に応じて位相差板、散乱層、反射防止層などを備えていてもよい。  
例えば、第２偏光板ＰＬ２または第１偏光板ＰＬ１に、超複屈折フィルムを備えることも可能である。超複屈折フィルムは、直線偏光が入射したときに透過光を非偏光化（自然光化）することが知られており、被写体に偏光を発するものが含まれていても違和感なく撮影が可能となる。例えば、カメラ１の被写体に液晶表示装置等が映り込んだ場合に、液晶表示装置からは直線偏光が出射されているので、第１偏光板ＰＬ１及び第２偏光板ＰＬ２と、被写体となっている液晶表示装置の偏光板との角度の関係で、カメラ１に入射する被写体の液晶表示装置の明るさが変化し、撮影時に違和感を生ずるおそれがある。しかしながら、第２偏光板ＰＬ２または第１偏光板ＰＬ１に超複屈折フィルムを備えることで、違和感を生じさせる明るさの変化を抑えることが可能である。  
超複屈折性を示すフィルムとしては、例えば東洋紡（株）のコスモシャイン(登録商標)などが好適に用いられる。ここで超複屈折性とは、可視域、例えば５５０ｎｍの光に対する面内方向のリタデーションが８００ｎｍ以上のものを言う。
【００２０】
第１貫通孔ＴＨ１、第２貫通孔ＴＨ２、及び、第３貫通孔ＴＨ３は、互いに重畳し、液晶パネルＰＮＬの下方に開放されたスペースＳＰを形成している。カメラ１は、第１貫通孔ＴＨ１等によって形成されたスペースＳＰに設けられている。カメラ１は、例えば、少なくとも１つのレンズを含む光学系２と、イメージセンサ（撮像素子）３と、ケース４と、を備えている。ケース４は、光学系２及びイメージセンサ３を収容している。光学系２は、液晶パネルＰＮＬとイメージセンサ３との間に位置しており、カメラ１は液晶パネルＰＮＬを介して受光可能である。カメラ１は、配線基板Ｆに電気的に接続されている。なお、カメラ１は、必ずしも第１貫通孔ＴＨ１内に設けられる必要はなく、スペースＳＰの外側に設けられていてもよい。いずれにしても、カメラ１は、第３方向Ｚにおいて第１貫通孔ＴＨ１に重畳する位置に設けられていればよい。本実施形態では、第１貫通孔ＴＨ１に重畳するカメラ１を設けた例について説明したが、第１貫通孔ＴＨ１及び光学系２を通して照射された光を受光して電気信号を出力する受光素子が第１貫通孔ＴＨ１に重畳していてもよい。
【００２１】
本実施形態によれば、カメラ１は、液晶パネルＰＮＬの表示部ＤＡに重畳している。このため、非表示部ＮＤＡにカメラ１を設置するためのスペースを設ける必要がない。したがって、カメラ１が非表示部ＮＤＡに重畳している場合、あるいは、カメラ１が表示部ＤＡに重畳することなくカメラ１及び液晶パネルＰＮＬが第２方向Ｙに並んで配置された場合と比較して、非表示部ＮＤＡの額縁幅を縮小することができる。
【００２２】
また、カメラ１がカラーフィルタ層ＣＦに重畳していないため、液晶パネルＰＮＬを介してカメラ１に入射した光は、カラーフィルタ層ＣＦの影響をほとんど受けない。このため、カラーフィルタ層ＣＦによる不所望な吸収や色付きを抑制することができる。
【００２３】
なお、図２に示した例では、カラーフィルタ層ＣＦは、第２基板ＳＵＢ２に設けられたが、第１基板ＳＵＢ１に設けられていてもよい。
【００２４】
図３は、図１に示した液晶パネルＰＮＬの一構成例を示す平面図である。図３において、液晶層ＬＣ及びシールＳＥは、異なる斜線で示している。表示部ＤＡは、ノッチ部を含まない略四角形の領域であり、シールＳＥで囲まれた内側に位置している。
【００２５】
表示部ＤＡにおいて、領域Ａ１及び領域Ａ２は、第２方向Ｙに沿って並んでいる。図２を参照して説明したように、領域Ａ１はカラーフィルタ層ＣＦが配置された領域であり、領域Ａ２はカラーフィルタ層ＣＦが配置されていない領域である。つまり、領域Ａ２は、モノクロ表示領域であり、白（または透明）表示から黒表示までの段階的な表示が可能な領域に相当する。つまり、領域Ａ２では、中間調（グレー）表示も可能である。一方、領域Ａ１は、カラー表示が可能な領域に相当する。図３に示した例では、領域Ａ２は、カメラ１と重畳する領域を含み、第１方向Ｘに延出している。なお、領域Ａ２は、カメラ１と重畳する領域のみであってもよく、この場合には、領域Ａ１は、カメラ１の周囲の領域まで拡張される。
【００２６】
液晶パネルＰＮＬは、表示部ＤＡの領域Ａ１及び領域Ａ２において、第１方向Ｘ及び第２方向Ｙにマトリクス状に配列された画素ＰＸを備えている。領域Ａ１に含まれる第１画素ＰＸ１は、カメラ１に重畳していない。領域Ａ２は、カメラ１に重畳する第２画素ＰＸ２を含んでいる。表示部ＤＡにおける各画素ＰＸは、同一の回路構成を有している。
なお、図３において、カメラ１の外形を点線で示し、カメラ１に重畳する第２画素ＰＸ２を示している。理想的には第２画素ＰＸ２はカメラ１のレンズを含む光学系２と、平面視で重なるものであるが、カメラ１のケース４と重なる画素ＰＸを第２画素ＰＸ２に含めてもよい。
【００２７】
図３において拡大して示すように、各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。容量ＣＳは、例えば、共通電極ＣＥと同電位の電極、及び、画素電極ＰＥと同電位の電極の間に形成される。
【００２８】
配線基板５は、第１基板ＳＵＢ１の延出部Ｅｘに電気的に接続されている。ＩＣチップ６は、配線基板５に電気的に接続されている。なお、ＩＣチップ６は、延出部Ｅｘに電気的に接続されていてもよい。ＩＣチップ６は、例えば、画像表示に必要な信号を出力するディスプレイドライバなどを内蔵している。配線基板５は、折り曲げ可能なフレキシブルプリント回路基板である。
【００２９】
図４は、図３に示した第１画素ＰＸ１を含む液晶素子ＬＣＤの断面図である。ここでは、第１偏光板ＰＬ１と第２偏光板ＰＬ２との間に、横電界を利用する表示モードに対応した液晶パネルＰＮＬを備えた液晶素子ＬＣＤについて説明する。
【００３０】
第１基板ＳＵＢ１は、第１絶縁基板１０と配向膜ＡＬ１との間に、絶縁膜１１及び１２と、共通電極ＣＥと、画素電極ＰＥと、を備えている。なお、図３に示した走査線、信号線、及び、スイッチング素子は、例えば、第１絶縁基板１０と共通電極ＣＥとの間に位置している。共通電極ＣＥは、絶縁膜１１の上に位置し、絶縁膜１２によって覆われている。画素電極ＰＥは、絶縁膜１２の上に位置し、配向膜ＡＬ１によって覆われている。画素電極ＰＥは、絶縁膜１２を介して、共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。絶縁膜１１は、詳述しないが、無機絶縁膜及び有機絶縁膜を含んでいる。絶縁膜１２は、例えば、シリコン窒化物等の無機絶縁膜である。
【００３１】
第２基板ＳＵＢ２において、遮光層ＢＭＢは、図２を参照して説明した非表示部ＮＤＡの遮光層ＢＭＡと一体的に形成されている。カラーフィルタ層ＣＦは、赤色のカラーフィルタＣＦＲ、緑色のカラーフィルタＣＦＧ、及び、青色のカラーフィルタＣＦＢを含んでいる。カラーフィルタＣＦＧは、画素電極ＰＥと対向している。他のカラーフィルタＣＦＲ及びＣＦＢも、それぞれ図示しない他の画素電極ＰＥと対向している。
【００３２】
液晶素子ＬＣＤを駆動する駆動部ＤＲは、例えば、図３に示した走査線Ｇと電気的に接続された走査線駆動回路、及び、信号線Ｓと電気的に接続された信号線駆動回路を含んでいる。  
駆動部ＤＲは、表示部ＤＡの各画素ＰＸに対して、画像表示に必要な信号を出力し、液晶素子ＬＣＤの透過率を制御する。液晶素子ＬＣＤの透過率は、液晶層ＬＣに印加される電圧の大きさに応じて制御される。  
例えば、第１画素ＰＸ１において、液晶層ＬＣに電圧が印加されていないオフ状態では、液晶層ＬＣに含まれる液晶分子ＬＭは、配向膜ＡＬ１及びＡＬ２の間で所定の方向に初期配向している。このようなオフ状態では、図１に示した光源ＥＭから第１画素ＰＸ１に導光された光は、第１偏光板ＰＬ１及び第２偏光板ＰＬ２によって吸収される。このため、液晶素子ＬＣＤは、オフ状態の第１画素ＰＸ１において、黒を表示する。  
一方、液晶層ＬＣに電圧が印加されたオン状態では、液晶分子ＬＭは、画素電極ＰＥと共通電極ＣＥとの間に形成された電界により初期配向方向とは異なる方向に配向し、その配向方向は電界によって制御される。このようなオン状態では、第１画素ＰＸ１に導光された光の一部は、第１偏光板ＰＬ１及び第２偏光板ＰＬ２を透過する。このため、液晶素子ＬＣＤは、オン状態の第１画素ＰＸ１において、カラーフィルタ層ＣＦに応じた色を表示する。  
上記の例は、オフ状態で黒を表示する所謂ノーマリーブラックモードに相当するが、オン状態で黒を表示する（オフ状態で白を表示する）ノーマリーホワイトモードが適用されてもよい。
【００３３】
図５は、図３に示した第２画素ＰＸ２を含む液晶素子ＬＣＤの断面図である。第２画素ＰＸ２は、図４に示した第１画素ＰＸ１と比較して、第２基板ＳＵＢ２がカラーフィルタ層ＣＦを備えていない点で相違している。すなわち、透明層ＯＣは、画素電極ＰＥの直上において、第２絶縁基板２０に接している。尚、透明層ＯＣの厚みを調整するため、透明層ＯＣと第２絶縁基板２０との間に、透明な樹脂層を設けてもよい。
【００３４】
液晶素子ＬＣＤの第２画素ＰＸ２における透過率は、第１画素ＰＸ１と同様に、駆動部ＤＲにより制御される。すなわち、液晶素子ＬＣＤは、液晶層ＬＣに電圧が印加されていないオフ状態の第２画素ＰＸ２において、第１画素ＰＸ１と同様に、最小透過率となり、黒を表示する。つまり、液晶素子ＬＣＤは、第２画素ＰＸ２において、遮光機能を発揮する。  
一方、液晶層ＬＣに電圧が印加されたオン状態では、第２画素ＰＸ２に導光された光の一部は、第１偏光板ＰＬ１及び第２偏光板ＰＬ２を透過する。液晶素子ＬＣＤは、オン状態の第２画素ＰＸ２において、最大透過率の場合に、白を表示する、あるいは、透明状態となる。また、上記の通り、液晶素子ＬＣＤは、最小透過率と最大透過率との間の中間透過率となるように制御され、グレーを表示する場合もありうる。つまり、液晶素子ＬＣＤは、第２画素ＰＸ２において、透光機能を発揮する。  
尚、本実施形態では、領域Ａ１と領域Ａ２とに遮光層ＢＭＢが形成されているが、領域Ａ２における遮光層ＢＭＢの幅を、領域Ａ１における遮光層ＢＭＢの幅よりも狭くしてもよい。更には、領域Ａ２に遮光層ＢＭＢを設けなくてもよい。遮光層ＢＭＢの幅を狭くする、或いは、遮光層ＢＭＢを設けないのは、第１方向Ｘ又は第２方向Ｙの一方だけでもよく、第１方向Ｘ及び第２方向Ｙの双方向であってもよい。
【００３５】
図６は、液晶パネルＰＮＬを制御するための一構成例を示すブロック図である。電子機器１００は、カメラ１及び液晶パネルＰＮＬの他に、メインコントローラ１１０と、メモリ１２０と、光センサ１３０と、モードスイッチ１４０と、を備えている。メモリ１２０は、電子機器１００を制御するための各種データ及び各種プログラムを記憶している。光センサ１３０は、電子機器１００の周囲の明るさを計測するものであり、計測結果をメインコントローラ１１０に出力する。光センサ１３０は、例えば、フォトダイオードやフォトトランジスタなどの受光素子によって構成されている。一例では、光センサ１３０は、明るさとして照度を計測する照度計である。モードスイッチ１４０は、ユーザが操作するユーザインターフェースであり、所望のモードの設定入力を受け付けるものである。メインコントローラ１１０は、メモリ１２０に記憶したプログラムにより、各種機能を実現する。例えば、メインコントローラ１１０は、光センサ１３０からの計測結果、または、モードスイッチ１４０を介した設定入力に基づいて、液晶パネルＰＮＬの駆動部ＤＲを制御する。
【００３６】
図７は、カメラ１に重畳する液晶素子ＬＣＤの一構成例を示す平面図である。液晶素子ＬＣＤは、一例では、カメラ１に重畳する領域として、４つの領域Ａ２１乃至Ａ２４を有している。領域Ａ２１乃至Ａ２３は、それぞれ環状に形成されている。領域Ａ２４は、ほぼ円形状に形成されている。領域Ａ２２は領域Ａ２１の内側に隣接し、領域Ａ２３は領域Ａ２２の内側に隣接し、領域Ａ２４は領域Ａ２３の内側に隣接している。４つの領域Ａ２１乃至Ａ２４は、カメラ１の光軸ＯＸを中心としてほぼ等方的に形成される。なお、液晶素子ＬＣＤは、カメラ１に重畳する領域として、５つ以上の領域に分割されてもよいし、３つ以下の領域に分割されてもよい。また、環状の例として真円が示されているが、楕円等の真円以外であってもよい。また、領域Ａ２１乃至Ａ２３は、環状に限定されるものでなく、領域Ａ２１乃至Ａ２４は、ストライプ状等であってもよい。例えば、逆光での撮影の場合、カメラや画像処理にてある程度の補正が可能であるが、本願発明の領域Ａ２１を最も逆光が強い領域の形状に対応させ、領域Ａ２４を被写体の形状に合わせた形状とすることも可能である。  
また、液晶素子ＬＣＤは、カメラ１の外側で領域Ａ２１を囲む領域Ａ３０を有している。これらの領域Ａ２１乃至Ａ２４、及び、領域Ａ３０には、図５に示した第２画素ＰＸ２がマトリクス状に配列されている。図７に示した構成例において、例えば領域Ａ２１乃至Ａ２３の少なくとも１つが第１領域に相当し、第１領域の内側の領域Ａ２２乃至Ａ２４の少なくとも１つが第２領域に相当し、領域Ａ３０は第３領域に相当する。  
カメラ１は、図２を参照して説明したように、導光板ＬＧの第１貫通孔ＴＨ１に設けられており、４つの領域Ａ２１乃至Ａ２４はいずれも第１貫通孔ＴＨ１に重畳している。領域Ａ３０は、導光板ＬＧに重畳している。
【００３７】
このような液晶素子ＬＣＤは、領域毎に透光または遮光することにより、カメラ１に入射する光量を調整する絞りとして機能することができる。透光する領域の面積が小さいほど、カメラ１に入射する光線が制限され、光学系２における収差の影響を低減することができ、鮮鋭度を向上することができ、さらには、焦点深度を大きくすることもできる。つまり、透光する領域の面積を調整することにより、被写体の明るさ、鮮鋭度、焦点深度などを調整することができる。
【００３８】
図８は、図７に示した液晶素子ＬＣＤの制御例を示す平面図である。  
図８の（Ａ）は、第１開口モードを説明するための図である。第１開口モードの液晶素子ＬＣＤは、領域Ａ２１乃至Ａ２４で透光する。例えば、領域Ａ２１乃至Ａ２４の各々の第２画素ＰＸ２は、図５を参照して説明したオン状態である。但し、第２画素ＰＸ２における透過率は、最大透過率である必要はなく、中間透過率であってもよい。したがって、液晶素子ＬＣＤが第１開口モードに設定された場合には、領域Ａ２１乃至Ａ２４を透過した光がカメラ１で受光される。  
図示した例では、領域Ａ３０の第２画素ＰＸ２はオフ状態であり、液晶素子ＬＣＤは領域Ａ３０で遮光する。但し、液晶素子ＬＣＤは、領域Ａ３０で透光してもよい。図において、透光する第２画素ＰＸ２は白で表し、遮光する第２画素ＰＸ２はグレーで表している。
【００３９】
図８の（Ｂ）は、第２開口モードを説明するための図である。第２開口モードの液晶素子ＬＣＤは、領域Ａ２１で遮光するとともに、領域Ａ２２乃至Ａ２４で透光する。領域Ａ２１の第２画素ＰＸ２はオフ状態であり、領域Ａ２２乃至Ａ２４の各々の第２画素ＰＸ２はオン状態である。また、領域Ａ３０の第２画素ＰＸ２もオフ状態であり、領域Ａ３０では遮光される。したがって、液晶素子ＬＣＤが第２開口モードに設定された場合には、領域Ａ２２乃至Ａ２４を透過した光がカメラ１で受光される。  
第１開口モード及び第２開口モードを比較した場合、カメラ１に重畳する第２画素ＰＸ２のうち、透光する第２画素ＰＸ２の総数は、第１開口モードよりも第２開口モードの方が少ない。また、カメラ１に重畳する領域のうち、透光する領域の総面積は、第１開口モードよりも第２開口モードの方が少ない。  
なお、ここでは、第２開口モードとして、領域Ａ２１で遮光する場合について説明したが、領域Ａ２１の透過光量が領域Ａ２２乃至Ａ２４の透過光量よりも低減されていればよい。換言すると、領域Ａ２１の透過率は、領域Ａ２２乃至Ａ２４の透過率よりも低く設定されていればよい。
【００４０】
図９は、図７に示した液晶素子ＬＣＤの他の制御例を示す平面図である。  
図９の（Ａ）は、第３開口モードを説明するための図である。第３開口モードの液晶素子ＬＣＤは、領域Ａ２１及びＡ２２で遮光するとともに、領域Ａ２３乃至Ａ２４で透光する。図９の（Ｂ）は、第４開口モードを説明するための図である。第４開口モードの液晶素子ＬＣＤは、領域Ａ２１乃至Ａ２３で遮光するとともに、領域Ａ２４で透光する。
【００４１】
図１０は、本実施形態の液晶素子ＬＣＤの制御例を説明するためのフローチャートである。ここでは、カメラ１での撮影が実行される際に、図６に示したメインコントローラ１１０が光センサ１３０による計測結果に基づいて上記の第１乃至第４開口モードを制御する制御例について説明する。  
メインコントローラ１１０は、光センサ１３０による計測結果に基づき外光の明るさがレベル１以下であるか否かを判定する（ステップＳＴ１）。メインコントローラ１１０は、レベル１以下であると判定した場合には（ＳＴ１，ＹＥＳ）、図８の（Ａ）に示した第１開口モードを実現するように駆動部ＤＲを制御する（ステップＳＴ２）。液晶パネルＰＮＬは駆動部ＤＲによって駆動され、液晶素子ＬＣＤは領域Ａ２１乃至Ａ２４で透光する。このため、明るさがレベル１以下と判定される暗所であっても、より多くの光をカメラ１に取り込むことができる。
【００４２】
メインコントローラ１１０は、明るさがレベル１より高いと判定した場合には（ＳＴ１，ＮＯ）、明るさがレベル２以下であるか否かを判定する（ステップＳＴ３）。以下同様に、メインコントローラ１１０は、明るさがレベル２以下であると判定した場合には（ＳＴ３，ＹＥＳ）、図８の（Ｂ）に示した第２開口モードを実現するように制御し（ステップＳＴ４）、また、明るさがレベル３以下であると判定した場合には（ＳＴ５，ＹＥＳ）、図９の（Ａ）に示した第３開口モードを実現するように制御し（ステップＳＴ６）、明るさがレベル３より高いと判定した場合には（ＳＴ５，ＮＯ）、図９の（Ｂ）に示した第４開口モードを実現するように制御する（ステップＳＴ７）。このように、明るさがレベル１より高いと判定される明所においては、明るさに応じてカメラ１に取り込む光の量を適宜調整することができる。
【００４３】
このように、本実施形態によれば、カメラ１に重畳した液晶素子ＬＣＤにより、周囲の明るさに応じてカメラ１に取り込む光の量を調整することができ、明るい場所でも暗い場所でも鮮明な写真を撮影することができる。
【００４４】
なお、図１０においては、光センサ１３０による測定結果に基づいて開口モードが制御される例について説明したが、ユーザによるモードスイッチ１４０を介した設定入力に基づいて開口モードが制御されてもよい。
【００４５】
図１１は、カメラ１に重畳する液晶素子ＬＣＤの他の構成例を示す平面図である。液晶素子ＬＣＤは、一例では、カメラ１に重畳する領域において、３つの電極５１乃至５３を備えている。電極５１乃至５３は、それぞれ環状に形成された透明電極である。電極５２は電極５１の内側に隣接し、電極５３は電極５２の内側に隣接し、電極５３の内側の領域Ａ５０はほぼ円形状に形成されている。３つの電極５１乃至５３は、カメラ１の光軸ＯＸを中心としてほぼ等方的に形成される。なお、液晶素子ＬＣＤは、カメラ１に重畳する領域において、４つ以上の透明電極を備えていてもよいし、２つ以下の透明電極を備えていてもよい。電極５１乃至５３、及び、領域Ａ５０は、いずれも第１貫通孔ＴＨ１に重畳している。  
なお、図１１では３つの電極５１乃至５３のみを図示しているが、電極５１乃至５３以外の領域には、図３に示す画素ＰＸと同様の画素が形成されている（以下、電極５１乃至５３以外の画素を画素ＰＸと呼ぶ）。また、図１１の場合では図３に示す領域Ａ２に含まれる画素ＰＸも電極５１乃至５３以外は、カラー表示が可能な画素としてもよい。
【００４６】
図１２は、図１１に示した液晶素子ＬＣＤの断面図である。第１基板ＳＵＢ１は、第１絶縁基板１０と配向膜ＡＬ１との間に、電極５１乃至５３を備えている。電極５１乃至５３の各々は、スイッチング素子ＳＷ１乃至ＳＷ３を介して、駆動部ＤＲと電気的に接続されている。第２基板ＳＵＢ２は、第２絶縁基板２０と配向膜ＡＬ２との間に、電極５４を備えている。電極５４は、透明電極であり、電極５１乃至５３の各々に対向している。電極５４は、駆動部ＤＲと電気的に接続されている。配向膜ＡＬ１及びＡＬ２の間に位置する液晶層ＬＣは、電圧が印加されていないオフ状態で、ツイスト配向した液晶分子ＬＭを備えている。駆動部ＤＲがスイッチング素子ＳＷ１乃至ＳＷを介して電極５１乃至５３の各々に電極５４とは異なる電位を印加した状態は、液晶層ＬＣに電圧が印加されたオン状態に相当する。液晶分子ＬＭは、オン状態では、第１基板ＳＵＢ１及び第２基板ＳＵＢ２に対してほぼ垂直に配向する。  
第１偏光板ＰＬ１の偏光軸ＡＸ１、及び、第２偏光板ＰＬ２の偏光軸ＡＸ２は、互いに直交している。
【００４７】
このような液晶素子ＬＣＤは、液晶層ＬＣに電圧が印加されていないオフ状態では透光し、液晶層ＬＣに電圧が印加されたオン状態では遮光する。また、液晶素子ＬＣＤは、領域Ａ５０において、液晶層ＬＣに電圧が印加されないため、透光する。  
電極５１乃至５３は、画素ＰＸの透明電極（画素電極）よりも大きい（面積比：数倍〜数十倍）。そのため、スイッチング素子ＳＷ１乃至ＳＷ３を、画素ＰＸに信号を供給する配線（図３に示す走査線Ｇ及び信号線Ｓ等）に接続すると、駆動部ＤＲに接続する信号線のうちで、電極５１乃至５３に接続された信号線と、電極５１乃至５３に接続されない信号線とで、駆動部ＤＲの負荷（信号線の容量）に差が生じる。信号線の容量に差があると、表示の均一性が損なわれる等の不具合が生じるため、図１２に示すように、スイッチング素子ＳＷ１乃至ＳＷ３に接続される配線を、画素ＰＸに信号を供給する配線とは別に、表示領域の外側の周辺領域に形成することで、信号線の容量の差によって生じる不具合を避けることが可能である。  
また、スイッチング素子ＳＷ１乃至ＳＷ３も図１２に示すように、カメラ１に入射する光を遮光しないように、表示部ＤＡの外側の非表示部ＮＤＡに形成される。なお、スイッチング素子ＳＷ１乃至ＳＷ３を非表示部ＮＤＡではなく、カメラ１と重畳する位置または表示部ＤＡに形成することも可能である。ただし、遮光される光を低減するため、スイッチング素子ＳＷ１乃至ＳＷ３は画素ＰＸに形成されるスイッチング素子ＳＷに比較して低密度で形成される。なお、電極５１乃至５３が、画素ＰＸの画素電極よりも大きいために、スイッチング素子ＳＷ１乃至ＳＷ３をスイッチング素子ＳＷに比較して大きく（チャネル幅を長く）してもよい。
【００４８】
図１３は、図１１に示した液晶素子ＬＣＤの制御例を示す平面図である。  
図１３の（Ａ）は、第１開口モードを説明するための図である。第１開口モードの液晶素子ＬＣＤは、電極５１乃至５３に重畳する領域、及び、領域Ａ５０で透光する。例えば、電極５１乃至５３に重畳する領域、及び、領域Ａ５０では、図１２に示した液晶層ＬＣに電圧が印加されていない。したがって、液晶素子ＬＣＤが第１開口モードに設定された場合には、電極５１乃至５３、及び、領域Ａ５０を透過した光がカメラ１で受光される。
【００４９】
図１３の（Ｂ）は、第２開口モードを説明するための図である。第２開口モードの液晶素子ＬＣＤは、電極５１に重畳する領域で遮光するとともに、電極５２及び５３に重畳する領域、及び、領域Ａ５０で透光する。電極５１に重畳する領域では、液晶層ＬＣに電圧が印加されている。したがって、液晶素子ＬＣＤが第２開口モードに設定された場合には、電極５２及び５３、及び、領域Ａ５０を透過した光がカメラ１で受光される。
【００５０】
図１４は、図１１に示した液晶素子ＬＣＤの他の制御例を示す平面図である。  
図１４の（Ａ）は、第３開口モードを説明するための図である。第３開口モードの液晶素子ＬＣＤは、電極５１及び５２に重畳する領域で遮光するとともに、電極５３に重畳する領域、及び、領域５０で透光する。図１４の（Ｂ）は、第４開口モードを説明するための図である。第４開口モードの液晶素子ＬＣＤは、電極５１乃至５３に重畳する領域で遮光するとともに、領域Ａ５０で透光する。
【００５１】
このような構成例においても、図１０を参照して説明した制御例が適用可能である。また、ユーザによるモードスイッチ１４０を介した設定入力に基づいて開口モードが制御されてもよい。したがって、上記の構成例と同様の効果が得られる。
【００５２】
図１５は、本実施形態の液晶素子ＬＣＤにおいてカメラ１の外側に表示されるパターンの表示例を示す図である。ここで説明する各種パターンは、例えば、図７に示した領域Ａ３０に表示される。  
図１５の（Ａ）は第１開口モードに対応して表示される第１パターンＰＴ１を示し、図１５の（Ｂ）は第２開口モードに対応して表示される第２パターンＰＴ２を示し、図１５の（Ｃ）は第３開口モードに対応して表示される第３パターンＰＴ３を示し、図１５の（Ｄ）は第４開口モードに対応して表示される第４パターンＰＴ４を示している。第１乃至第４パターンＰＴ１乃至ＰＴ４は、いずれも環状パターンである。図示した例では、第１乃至第４パターンＰＴ１乃至ＰＴ４は、いずれもカメラ１を囲む複数の羽根で表示されるが、これに限らず、単純なドーナツ形の環状パターンで表示されてもよいし、渦巻き状の環状パターンで表示されてもよし、その他の模様で表示されてもよい。
【００５３】
第１乃至第４パターンＰＴ１乃至ＰＴ４の各々の内側には、開口パターンＡＰ１乃至ＡＰ４が表示される。開口パターンＡＰ１乃至ＡＰ４は、円形状のパターンで表示されてもよいし、多角形状のパターンで表示されてもよい。開口パターンＡＰ２の面積は開口パターンＡＰ１の面積より小さく、開口パターンＡＰ３の面積は開口パターンＡＰ２の面積より小さく、開口パターンＡＰ４の面積は開口パターンＡＰ３の面積より小さい。
【００５４】
第１パターンＰＴ１は、その内側及び外側とは異なる階調で表示される。例えば、第１パターンＰＴ１は黒あるいはグレーで表示され、第１パターンＰＴ１の外側は白で表示され、第１パターンＰＴ１の内側の開口パターンＡＰ１は白で表示される。他の第２乃至第４パターンＰＴ２乃至ＰＴ４も、第１パターンＰＴ１と同様の手法で表示される。
【００５５】
なお、ここでは、４つの環状パターンが図示されているが、これらの４つの環状パターンが段階的に表示される形態に限らず、開口パターンの面積が連続的に変化するような表示形態が適用されてもよい。
【００５６】
図１６は、本実施形態の液晶素子ＬＣＤの制御例を説明するためのフローチャートである。  
メインコントローラ１１０は、光センサ１３０による計測結果に基づき外光の明るさがレベル１以下であると判定した場合には（ＳＴ１１，ＹＥＳ）、図８の（Ａ）に示した第１開口モードを実現するように制御し（ステップＳＴ１２）、また図１５の（Ａ）に示した第１パターンＰＴ１及び開口パターンＡＰ１を表示するように制御する（ステップＳＴ１３）。  
メインコントローラ１１０は、明るさがレベル２以下であると判定した場合には（ＳＴ１４，ＹＥＳ）、図８の（Ｂ）に示した第２開口モードを実現するように制御し（ステップＳＴ１５）、また図１５の（Ｂ）に示した第２パターンＰＴ２及び開口パターンＡＰ２を表示するように制御する（ステップＳＴ１６）。  
メインコントローラ１１０は、明るさがレベル３以下であると判定した場合には（ＳＴ１７，ＹＥＳ）、図９の（Ａ）に示した第３開口モードを実現するように制御し（ステップＳＴ１８）、また図１５の（Ｃ）に示した第３パターンＰＴ３及び開口パターンＡＰ３を表示するように制御する（ステップＳＴ１９）。  
メインコントローラ１１０は、明るさがレベル３より高いと判定した場合には（ＳＴ１７，ＮＯ）、図９の（Ｂ）に示した第４開口モードを実現するように制御し（ステップＳＴ２０）、また図１５の（Ｄ）に示した第４パターンＰＴ４及び開口パターンＡＰ４を表示するように制御する（ステップＳＴ２１）。
【００５７】
本実施形態によれば、光センサ１３０によって計測された明るさに基づいて自動的に開口モードが制御された際に、ユーザに対して、設定された開口モードを視覚的に報知することができる。特に、小型のカメラ１が搭載された電子機器１００においては、カメラ１に重畳する液晶素子ＬＣＤの面積が小さく、設定された開口モードを直接視認することが困難となりうる。このような場合に、カメラ１に重畳する領域の外側に、開口モードに対応したパターンが表示されることで、ユーザが開口モードを認識しやすくなる。  
また、ユーザがモードスイッチ１４０を介して開口モードを選択した場合であっても、開口モードに対応したパターンが表示されることで、同様の効果が得られる。
【００５８】
図１７は、本実施形態の表示装置ＤＳＰにおける表示例を示す図である。図１７の（Ａ）は、カメラ１で撮影する撮影モードにおける表示例に相当する。ここでの撮影モードは、例えば、電子機器１００のユーザが自身を被写体として撮影するモードである。表示部ＤＡの領域Ａ２において、カメラ１に重畳する領域は、例えば図８及び図９に示したいずれかの開口モードに設定され、カメラ１の外側には、開口モードに対応した環状パターンＰＴが表示され、パターンＰＴの内側には開口パターンＡＰが表示される。環状パターンＰＴは、例えばモノクロ表示される。一方、表示部ＤＡの領域Ａ１には、カメラ１で撮影した被写体が表示される。  
図１７の（Ｂ）は、カメラ１を未使用時の表示例に相当する。領域Ａ２には、数字、文字、記号、マークなどのキャラクタがモノクロ表示される。また、カメラ１に重畳する位置においても、キャラクタの表示が可能である。領域Ａ１には、図示したようなホーム画面の他に、静止画、動画などがカラー表示される。
【００５９】
また、上記した実施形態では、光源ＥＭとして白色の発光ダイオード（ＬＥＤ）を使用した例を示したが、赤、青、緑等の異なる発光色の発光ダイオード（ＬＥＤ）を並置して用いても良い。またこの場合は、各色の発光ダイオード（ＬＥＤ）を順次発光させ、これに合わせて各色表示を順次切り替えることで、カラー表示を実現する、所謂フィールドシーケンシャル方式を用いることもできる。これにより、表示部ＤＡの領域Ａ１及びＡ２共にカラーフィルタ層ＣＦを配置することなく、いずれの領域もカラー表示を実現することができる。また、領域Ａ１にはカラーフィルタ層ＣＦが配置される一方で、領域Ａ２にはカラーフィルタ層ＣＦが配置されず、領域Ａ２においてフィールドシーケンシャル方式を用いてカラー表示を実現してもよい。このため、領域Ａ２にはカラーフィルタ層ＣＦが配置されなくとも、環状パターンＰＴをカラー表示することもできる。
【００６０】
以上説明したように、本実施形態によれば、狭額縁化が可能な表示装置、表示装置を組み込んだ電子機器、及び、プログラムを提供することができる。また、鮮明な写真を撮影することが可能な電子機器を提供することができる。
【００６１】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６２】
ＤＳＰ…表示装置  ＬＣＤ…液晶素子  ＰＮＬ…液晶パネル  １…カメラ  ＬＧ…導光板  ＥＭ…光源  ＰＬ…偏光板  ＯＳ…光学シート  ＰＸ…画素  ＣＦ…カラーフィルタ層  ＬＣ…液晶層  ＯＣ…透明層  ＬＳ…遮光層  １００…電子機器
【図１】
2020003648.tif 000003
【図２】
2020003648.tif 000004
【図３】
2020003648.tif 000005
【図４】
2020003648.tif 000006
【図５】
2020003648.tif 000007
【図６】
2020003648.tif 000008
【図７】
2020003648.tif 000009
【図８】
2020003648.tif 000010
【図９】
2020003648.tif 000011
【図１０】
2020003648.tif 000012
【図１１】
2020003648.tif 000013
【図１２】
2020003648.tif 000014
【図１３】
2020003648.tif 000015
【図１４】
2020003648.tif 000016
【図１５】
2020003648.tif 000017
【図１６】
2020003648.tif 000018
【図１７】
2020003648.tif 000019